(57)【要約】【課題】部品点数を増やすことなく据付作業時の安全性を確保しつつ、外観の意匠性を損なわない空気調和機の室外機を提供することを目的としている。【解決手段】底板１は、ヒーターサポート５が取り付けられる部分が上方に突出した凸形状部１ａを有しており、脚部３は、凸形状部１ａに形成されたネジ穴５ｂの下方を少なくとも含む位置に設けられているものである。【選択図】図４
2014105954.tif 000002
【特許請求の範囲】
【請求項１】
熱交換器及び凍結防止ヒーターが上面に設けられる底板と、
前記凍結防止ヒーターを前記底板の上面に押さえつけて前記底板にネジで固定されるヒーターサポートと、
前記底板の下面に設けられる脚部と、を備え、
前記底板は、前記ヒーターサポートが取り付けられる部分が上方に突出した凸形状部を有しており、
前記脚部は、前記凸形状部に形成されたネジ穴の下方を少なくとも含む位置に設けられている
ことを特徴とする空気調和機の室外機。
【請求項２】
前記凸形状部は、前記ネジ穴に前記ネジをその先端部が下面側に位置するように取り付けたとき、前記ネジの先端部が前記脚部に接触しないように上方に突出している
ことを特徴とする請求項１記載の空気調和機の室外機。
【発明の詳細な説明】
【技術分野】
【０００１】
本発明は、空気調和機の室外機に関するものであり、特に凍結防止ヒーターの固定に用いられるネジの先端部の保護に関する。
【背景技術】
【０００２】
従来の空気調和機の室外機において、凍結防止ヒーターを底板の上面にヒーターサポートで押さえつけてネジ固定するものがある（特許文献１参照）。
【先行技術文献】
【特許文献】
【０００３】
【特許文献１】特許第３８８２９１０号公報（たとえば、［００１４］、［００１６］、図１〜３参照）
【発明の概要】
【発明が解決しようとする課題】
【０００４】
上記この種の従来の空気調和機の室外機において、凍結防止ヒーターの管部を底板の上面に押さえつけてネジ固定するために用いられるヒーターサポートは、ネジの先端部が底板の地面側の面である下面に露出する構造となっており、据付作業時の安全性に問題があった。そのため、ネジカバーを底板の下面に溶接で取り付け、ネジの先端部を覆う構造にすることで据付作業時の安全性を確保していた。
しかし、この方法だと、ネジカバーを使用するため部品点数が増えてしまうという課題があった。また、この方法だとネジ固定している箇所だけネジカバーを含む出っ張りが底板の下面に生じてしまい、外観の意匠性を損なうという課題があった。
【０００５】
本発明は、以上のような課題を解決するためになされたもので、部品点数を増やすことなく据付作業時の安全性を確保しつつ、外観の意匠性を損なわない空気調和機の室外機を提供することを目的としている。
【課題を解決するための手段】
【０００６】
本発明に係る空気調和機の室外機は、熱交換器及び凍結防止ヒーターが上面に設けられる底板と、前記凍結防止ヒーターを前記底板の上面に押さえつけて前記底板にネジで固定されるヒーターサポートと、前記底板の下面に設けられる脚部と、を備え、前記底板は、前記ヒーターサポートが取り付けられる部分が上方に突出した凸形状部を有しており、前記脚部は、前記凸形状部に形成されたネジ穴の下方を少なくとも含む位置に設けられているものである。
【発明の効果】
【０００７】
本発明に係る空気調和機の室外機によれば、部品点数を増やすことなく据付作業時の安全性を確保しつつ、外観の意匠性を損なわない。
【図面の簡単な説明】
【０００８】
【図１】本実施の形態に係る空気調和機の室外機内部を示す斜視図である。
【図２】本実施の形態に係る空気調和機の室外機の底板周辺を示す斜視図である。
【図３】図２における底板周辺の矢印方向から見たＸ−Ｘ断面図である。
【図４】図２における底板周辺の矢印方向から見たＹ−Ｙ断面図である。
【発明を実施するための形態】
【０００９】
以下、本発明の実施の形態を図面に基づいて説明する。
実施の形態．
図１は、本実施の形態に係る空気調和機の室外機内部を示す斜視図である。
室外機の外部は、前面を覆う図示省略の前面パネル、背面を覆う図示省略の背面パネル、天面部を覆う図示省略の天板、側面部を覆う図示省略の側板、底部を形成する底板１で形成されている。また、底板１の下面には脚部３が設けられており、その脚部３によって室外機は支持されている。
室外機の内部は、板金部品のセパレーター１１によって隔てられた送風機室１３と機械室１４とから構成されており、正面視して左が送風機室１３、右が機械室１４である。
【００１０】
送風機室１３には、その側面から背面全体にかけて底板１の上面に設けられた熱交換器９と、熱交換器９の上下に渡って設けられたモーターサポート８と、モーターサポート８に取り付けられた図示省略のモーターに装着されたプロペラファン１０と、が収容されている。さらに、管部２ａを有する管状の凍結防止ヒーター２が収容され、その管部２ａの一部が底板１の上面にヒーターサポート５で押さえつけられ、ネジ４で固定されている。
なお、モーターサポート８の下部は底板１の切り起こし部にネジで固定できるようになっており、上部はフック形状で熱交換器９に掛けられるようになっている。
【００１１】
プロペラファン１０が動作することにより、例えば室外機の側板と背面パネルとに設けられた図示省略の吸込口から空気が内部に流入し、その空気は、プロペラファン１０によって前面に設けられた図示省略の吹出口から室外機の前方に流出する。その際、例えば冷房運転時において、熱交換器９内の冷媒は流入した空気によって冷却され、熱交換器９を通過した空気は冷媒と熱交換することで加熱される。また、熱交換器９の近傍には底板１の排水経路が形成されており、排水経路上での氷結を防止する目的で凍結防止ヒーター２の管部２ａが取り回されている。
【００１２】
機械室１４には、底板１の上面に設けられた圧縮機７と、セパレーター１１の上部に設けられた、底板１と平行に配置される構造である電気品１２と、が収容されている。
例えば冷房運転時において、図示省略の室内機から送られた冷媒は圧縮機７において圧縮され、冷媒配管を通って熱交換器９に送られる。また、電気品１２は各部品への電力供給を行う。
【００１３】
図２は、本実施の形態に係る空気調和機の室外機の底板周辺を示す斜視図、図３は、図２における底板周辺の矢印方向から見たＸ−Ｘ断面図、図４は、図２における底板周辺の矢印方向から見たＹ−Ｙ断面図である。
底板１には強度確保のために凸凹の絞り形状が形成されており、略中央部には排水用の穴であるドレン穴１ｃが円形状に形成されている。室外機の内部に生じたドレン水は、底板１に形成された排水経路を流れて、このドレン穴１ｃから室外機の外部へ排出される。
【００１４】
底板１の上面には、凍結防止ヒーター２が設けられており、底板１に形成された絞り形状に沿って凍結防止ヒーター２の管部２ａが取り回されている。その凍結防止ヒーター２の管部２ａの一部は、底板１の上面にヒーターサポート５で押さえつけられ、ネジ４で固定されている。
底板１は、そのヒーターサポート５が取り付けられる部分が上方に突出した凸形状部１ａを有しており、さらにその凸形状部１ａには、バーリング加工によって厚みを持たせたネジ穴１ｂが形成されている。
【００１５】
ヒーターサポート５は、凍結防止ヒーター２の管部２ａの一部を押さえつけられるように、凍結防止ヒーター２の管部２ａの断面形状に沿った、略アーチ形状のアーチ形状部５ａをその一部に有している。また、その他の部分は、底板１の上面のヒーターサポート５が配置される部分に沿った形状に形成されており、ネジ穴５ｂがネジ穴１ｂと重なる位置に形成されている。
【００１６】
底板１の下面には、その下面と平行になるように脚部３が例えば２つ設けられており、その脚部３の一つはネジ穴１ｂの下方を少なくとも含む位置に設けられている。つまり、ネジ穴１ｂは一つの脚部３の上方に位置している。そのため、ネジ穴１ｂと脚部３との間には空間６が形成されている。
【００１７】
凸形状部１ａは、ネジ穴１ｂにネジ４をその先端部４ａが底板１の下面側に位置するように取り付けたとき、ネジ１ｂの先端部４ａがネジ穴１ｂの下方に位置している脚部３と接触しないように上方に突出している。つまり、凸形状部１ａの突出している長さは、ネジ４の長さより長くなるように設計されている。これは、ネジ４の先端部４ａが脚部３に接触するとネジ４が根元まで完全に締まらなくなると、凍結防止ヒーター２の底板の上面への固定が甘くなり、作業性も悪化するが、それらを防ぐためである。
【００１８】
ヒーターサポート５を、ネジ穴１ｂの近傍を取り回された凍結防止ヒーター２の管部２ａの一部をアーチ形状部５ａが覆うように、さらに、ネジ穴１ｂとネジ穴５ｂとが重なるように配置し、ネジ穴１ｂ及び５ｂにネジ４を取り付けることで、凍結防止ヒーター２を底板１の上面に固定する。
このとき、底板１の凸形状部１ａに形成されたネジ穴１ｂと脚部３との間に形成された空間６内にネジ４が収まるようになっている。
【００１９】
そのため、脚部３がネジカバーの役割を果たし、部品点数を増やすことなく室外機の据付作業時の安全性を確保することができる。また、外部からネジ４が見えず、出っ張りも底板１の下面に生じないため、外観の意匠性も損なわない。
【００２０】
なお、本実施の形態では脚部３が２つ設けられているとしたが、室外機を支持できるなら他の数でもよい。ただし、そのうちの一つはネジ穴１ｂの下方を少なくとも含む位置に設けられているものとする。
【符号の説明】
【００２１】
１  底板、１ａ  凸形状部、１ｂ  ネジ穴、１ｃ  ドレン穴、２  凍結防止ヒーター、２ａ  管部、３  脚部、４  ネジ、４ａ  先端部、５  ヒーターサポート、５ａ  アーチ形状部、５ｂ  ネジ穴、６  空間、７  圧縮機、８  モーターサポート、９  熱交換器、１０  プロペラファン、１１  セパレーター、１２  電気品、１３  送風機室、１４  機械室。
【図１】
2014105954.tif 000003
【図２】
2014105954.tif 000004
【図３】
2014105954.tif 000005
【図４】
2014105954.tif 000006